(57)【特許請求の範囲】
【請求項１】
結球野菜を掘り取り、両側を保持して後方へ搬送しながら非結球葉や茎部を切り取る結球野菜収穫機において、掘取部Ａの後部に、一対のスクリュー式のメイン搬送装置１４・１４を前後方向に配置し、この左右のメイン搬送装置１４・１４を互いに逆方向に、その回転速度が左右異なるように駆動して、結球野菜を回転させながら後上方へ搬送するとともに、メイン搬送装置１４・１４の前下部に根部切断装置２０を設け、後部上に茎部切断装置２１を設け、該根部切断装置２０と茎部切断装置２１の間に複数の垂直刃からなる非結球葉切断装置２２を設け、
該非結球葉切断装置２２は、刃面が前方を向いて固定され、メイン搬送装置１４・１４の間で、茎部Ｋｂの何れか一方に偏って垂直方向に配置し、
該非結球葉切断装置２２の配置された前記メイン搬送装置１４・１４の上方に、左右対向してベルトを巻回し、左右搬送速度の異なる側面搬送装置１２を配置したことを特徴とする結球野菜収穫機。
【発明の詳細な説明】
【０００１】
【産業上の利用分野】
本発明は、キャベツ等の結球野菜収穫機において、掘取後の搬送時に非結球葉（オニ葉または外葉）を除去する構成に関する。
【０００２】
【従来の技術】
従来から、キャベツ等の結球野菜を収穫する自走式の結球野菜収穫機は、公知となっている。
この結球野菜収穫機は、走行装置より前方に一対のスクリューからなるメイン搬送装置を前低後高に平行に配置し、その上方には上面搬送ベルトと側面搬送ベルトを設け、前部に掘取部を配置し、掘取部によって掘り取った結球野菜は、メイン搬送装置によって茎側部を挟持し、上面を上面搬送ベルトにより押さえて、側部を側部搬送ベルトによって挟持して後方へ搬送し、この搬送する途中で結球野菜の茎部を切断し、後端の走行装置上に設けた収納容器に収納するように構成していた。
【０００３】
【発明が解決しようとする課題】
上記のような従来技術においては、結球野菜を掘り取ってメイン搬送装置へ受け渡し、後方へ搬送するときに非結球葉や茎部を切断するように、円板形のカッターを搬送途中に配設していた。
しかし、円板形のカッターは搬送方向と平行に配置していたので、茎部の切り残りや切り過ぎが発生していた。
即ち、非結球葉と結球部の境を検出して切断する構成ではないために、メイン搬送装置の搬送面の高さを基準にカッターの高さを調節して切断していたので、非結球葉や茎の一部が残って、再度人手により不要な茎や非結球葉部分を切断したり、切り過ぎて結球部に損傷が及び商品価値を下げることもあった。
【０００４】
【課題を解決するための手段】
本発明の解決しようとする課題は以上の如くであり、次にこの課題を解決するための手段を説明する。
結球野菜を掘り取り、両側を保持して後方へ搬送しながら非結球葉や茎部を切り取る結球野菜収穫機において、掘取部Ａの後部に、一対のスクリュー式のメイン搬送装置１４・１４を前後方向に配置し、この左右のメイン搬送装置１４・１４を互いに逆方向に、その回転速度が左右異なるように駆動して、結球野菜を回転させながら後上方へ搬送するとともに、メイン搬送装置１４・１４の前下部に根部切断装置２０を設け、後部上に茎部切断装置２１を設け、該根部切断装置２０と茎部切断装置２１の間に複数の垂直刃からなる非結球葉切断装置２２を設け、該非結球葉切断装置２２は、刃面が前方を向いて固定され、メイン搬送装置１４・１４の間で、茎部Ｋｂの何れか一方に偏って垂直方向に配置し、該非結球葉切断装置２２の配置された前記メイン搬送装置１４・１４の上方に、左右対向してベルトを巻回し、左右搬送速度の異なる側面搬送装置１２を配置したものである。
【０００５】
【作用】
次に、作用を説明する。
結球野菜を掘取装置によって掘り取り、後方へ搬送して、メイン搬送装置によって結球野菜の茎部が挟持されて後方へ搬送され、このメイン搬送装置の前部で根部が切断され、左右のメイン搬送装置の回転速度差によって結球野菜が回転されながら搬送され、その搬送中途部で非結球葉が非結球葉切断装置によって切除され、その後部で茎部が切除される。
【０００６】
【実施例】
次に、実施例を説明する。
図１は本発明の結球野菜収穫機の前部側面図、
図２は搬送部の平面図、
図３は図２におけるＶ−Ｖ矢視断面図、
図４は図２におけるＷ−Ｗ矢視断面図、
図５は搬送部の他の実施例を示す平面図、
図６は図５におけるＸ−Ｘ矢視断面図である。
【０００７】
まず、図１において、結球野菜収穫機でキャベツを収穫する場合の全体構成について説明する。
本実施例の結球野菜収穫機は、クローラー式走行装置１上に機体フレーム２を載置し、該機体フレーム２上に収納部３を設け、機体フレーム２前部にキャベツの掘取部Ａと搬送部Ｂを設けている。該搬送部Ｂの後部にはキャベツＫの選別を行い、良品を収納部３へ搬送する選別搬送装置４を配置している。
【０００８】
前記搬送部Ｂは、図１、図２に示すように、左右平行に搬送フレーム９Ｌ・９Ｒが前後方向に配置され、該搬送フレーム９Ｌ・９Ｒの後下部が機体フレーム２に回動自在に支持され、該搬送フレーム９Ｌ・９Ｒの前下部と機体フレーム２の間には油圧シリンダー５が介装されて昇降回動可能としている。
そして、該搬送フレーム９・９に掘取部Ａと、上面押さえ搬送装置１０とメイン搬送装置１４・１４が取り付けられて、該搬送部Ｂの前端には掘取部Ａが設けられている。
該掘取部Ａは一対の掻込装置６・６と、一対のメイン搬送装置１４・１４の前搬送部１４ａ・１４ａとゲージ輪１１・１１からなり、ゲージ輪１１・１１で掘取高さを設定し、掻込装置６はスターホィールまたはタインを突出したものを互いに逆方向に回転させてキャベツＫをその間へ掻き込むようにしている。
メイン搬送装置１４・１４は前低後高に平行に配置されて、互いに逆方向に回転させており、このメイン搬送装置１４・１４の前搬送部１４ａ・１４ａがキャベツＫの茎を挟持して後上方へ引き抜くように搬送して掘取部Ａの一部を形成している。
【０００９】
前記メイン搬送装置１４・１４は側面視「く」字状に構成されて、前搬送部１４ａを掘取部Ａに位置させ、後搬送部１４ｂを搬送部Ｂに位置させ、該メイン搬送装置１４・１４は弾性体よりスクリュー型に構成している。
そして、左右のメイン搬送装置１４・１４の回転数は左右で異なるように駆動し、メイン搬送装置１４・１４を構成する羽根部と羽根部の間にキャベツＫの茎部を挟持して、そのスクリューの回転とその回転数差によって、キャベツＫを回転させながら後方へ搬送するようにしている。
【００１０】
前記メイン搬送装置１４・１４の上方には、メイン搬送装置１４と平行に、上面押さえ搬送装置１０が配設されている。該上面押さえ搬送装置１０は、搬送フレーム９Ｌ・９Ｒ側部より上方へ突設した取付フレーム１５に支持されている。
該上面押さえ搬送装置１０はゴム等の弾性材よりなる平ベルトが左右のメイン搬送装置１４・１４の間の上方に、駆動軸及び従動軸が左右水平となるように配設されている。該メイン搬送装置１４・１４によってキャベツＫが搬送されてくると、該キャベツＫの上面が平ベルトによって押さえられて、キャベツＫが浮き上がり回転されないまま後方へ搬送されないようにして、上面を押さえて確実に回転させながら後上方へ搬送するようにしている。
【００１１】
そして、メイン搬送装置１４・１４の前下部には根部切断装置２０、後上部には茎部切断装置２１、その前部には非結球葉切断装置２２が配置されており、根部切断装置２０と茎部切断装置２１は円板状の回転刃からなり、回転軸を搬送面と直角方向に配置して、メイン搬送装置１４・１４の間に刃部が位置するように配設している。
非結球葉切断装置２２は複数の垂直刃からなり、刃面が前方を向き、メイン搬送装置１４・１４の間の何れか一方に偏って垂直方向に配置し、メイン搬送装置１４・１４の搬送面よりもわずかに上方に突出するように固定している。
但し、図示していないが、非結球葉切断装置２２の刃の高さは調節できるようにしている。また、垂直刃の代わりに回転刃を複数直列に配置する構成とすることもできる。
【００１２】
このように構成することにより、掘取部ＡをキャベツＫが栽培されている条に合わせて結球野菜収穫機を前進させながら収穫作業を行うと、掻込装置６によって左右中央側へキャベツＫを掻き込み、メイン搬送装置１４・１４の前搬送部１４ａ・１４ａで根部を挟持して後方へ送りながら引き抜き持ち上げる。
そして、メイン搬送装置１４・１４の後搬送部１４ｂ・１４ｂと上面押さえ搬送装置１０によってキャベツＫの上面を上方より押さえながら後方へ搬送し、この搬送時において、左右のスクリューの回転数差によって、キャベツＫは回転されながら後方へ搬送される。
その後搬送部１４ｂ・１４ｂによる搬送前部において、根部切断装置２０によって根の下部が切断され、搬送中途部において図３に示すように、非結球葉切断装置２２によってキャベツＫの回転で茎部Ｋｂの周囲が切断されて非結球葉Ｋａが切除される。
【００１３】
この非結球葉Ｋａを切断するときに、垂直刃の切断抵抗によってキャベツＫの搬送姿勢が崩れないように、図５、図６に示すように、根部切断装置２０と茎部切断装置２１の間の前記メイン搬送装置１４・１４の上方に、メイン搬送装置１４と平行に、側面搬送装置１２・１２を配設して、キャベツＫの両側を挟持して搬送するようにも構成できる。
この側面搬送装置１２・１２は、ゴム等の弾性材よりなる平ベルトが左右前後方向に巻回されており、左右の回転速度を前記メイン搬送装置１４・１４の搬送速度と合わせることによって、キャベツＫを確実に回転させながら後上方へ搬送し、非結球葉切断装置２２によって非結球葉Ｋａを確実に切除できる。
【００１４】
そして、非結球葉切断装置２２の後部で、後方へ搬送されながら茎部切断装置２１によって茎部Ｋｂの根元が切断され、仕上切りが行われる。
このとき非結球葉Ｋａは切除されているので、キャベツＫの結球部の下面がメイン搬送装置１４・１４上に乗って搬送され、キャベツＫの茎部Ｋｂの根元の位置は略一定の高さに保持されて搬送され、切除位置が一定となり、切り残しや切り過ぎを防止することができる。
そして、メイン搬送装置１４・１４の後端からは選別搬送装置４によって収納部３内へ搬送されて収納される。
【００１５】
【発明の効果】
本発明は、以上のように構成したので、次のような効果を奏するものである。
該非結球葉切断装置２２は、刃面が前方を向いて固定され、メイン搬送装置１４・１４の間で、茎部Ｋｂの何れか一方に偏って垂直方向に配置し、該非結球葉切断装置２２の配置された前記メイン搬送装置１４・１４の上方に、左右対向してベルトを巻回し、左右搬送速度の異なる側面搬送装置１２を配置したので、複数の垂直刃を直列に配置するだけの簡単な構成で、安価に切断装置を構成でき、キャベツＫの搬送時に動力を与えることなく非結球葉を切断することができる。  また、結球野菜の茎部の根元を切断する前に、非結球葉が切断装置によって切断されて除去され、次工程の茎部の切断位置を正確に位置決めできるようになり、切り残しや切り過ぎを防止することができ、商品価値を高めることができる。
【００１６】
また、非結球葉を切断時にキャベツＫの側面が挟持され、メイン搬送装置の回転とともにキャベツＫを回転させながら搬送することができ、非結球葉切断装置の垂直方向の刃面配置しているだけでも、回転により確実に切断することができるようになる。
【図面の簡単な説明】
【図１】本発明の結球野菜収穫機の前部側面図である。
【図２】搬送部の平面図である。
【図３】図２におけるＶ−Ｖ矢視断面図である。
【図４】図２におけるＷ−Ｗ矢視断面図である。
【図５】搬送部の他の実施例を示す平面図である。
【図６】図５におけるＸ−Ｘ矢視断面図である。
【符号の説明】
Ａ    掘取部
Ｋ    キャベツ
１２  側面搬送装置
１４  メイン搬送装置
２０  根部切断装置
２１  茎部切断装置
２２  非結球葉切断装置
【図１】
0003632784.tif 000002
【図２】
0003632784.tif 000003
【図３】
0003632784.tif 000004
【図４】
0003632784.tif 000005
【図５】
0003632784.tif 000006
【図６】
0003632784.tif 000007